(57)【特許請求の範囲】
【請求項１】
網戸フレームに対して相対移動しながら、連続的に供給される網押えロープを防虫網と共に網戸フレームの網受け溝に圧入する昇降自在な圧入ローラーと、網押えロープの圧入済み部分を切離すカッターと、圧入ローラーの軸に回動自在に支持され、圧入済み部分から切離した網押えロープを挟持して回動し、挟持した網押えロープを圧入ローラーの外周面に沿わせるロープ巻回アームとを備えていることを特徴とする網戸の網張り装置。
【請求項２】
網戸フレームに対して相対移動しながら、連続的に供給される網押えロープを防虫網と共に網戸フレームの網受け溝に圧入する昇降自在な圧入ローラーと、圧入ローラーの軸に回動自在に支持され、且つ、網押えロープの圧入済み部分を切離すカッターを有し、圧入済み部分から切離した網押えロープを挟持して回動し、挟持した網押えロープを圧入ローラーの外周面に沿わせるロープ巻回アームとを備えていることを特徴とする網戸の網張り装置。
【発明の詳細な説明】
【０００１】
【発明の属する技術分野】
本発明は、網戸フレームに防虫網を張るために利用される網戸の網張り装置に係わり、とくに、人手をかけることなく、網戸フレームに設けた網受け溝に防虫網と共に網押えロープを連続的に圧入することのできる網張り装置に関するものである。
【０００２】
【従来の技術】
網戸は、例えばアルミニウム合金の押出形材からなるフレームに、例えばポリ塩化ビニル樹脂からなる防虫網を張ったものであって、防虫網の網戸フレームへの取付けに際しては、通常、網戸フレームに防虫網を被せ、フレームの内周部に沿って形成された網受け溝に、ゴム製の網押えロープを防虫網と共に押し込むことによって行われていた。
【０００３】
従来、このような網戸の網張り作業は、手作業で行われており、防虫網の張力過剰による網戸フレームの変形がなく、しかもたわみがないように防虫網を張るには、かなりの熟練と時間を要するため、例えば、特開平６−２５７３５８号公報には、ビード（網押えロープ）の嵌め入れ作業を自動化し、網の張付け作業を効率化するための網戸用防虫網の張設装置が開示されている。
【０００４】
【発明が解決しようとする課題】
しかしながら、上記公報に記載された防虫網の張設装置は、網戸フレームを固定する支持台の上を前後方向に往復動する移動フレームに沿って左右方向に往復動する移動体を設けると共に、この移動体に網押えロープを嵌め入れる押込ローラーを設けることによって、網押えロープの嵌め入れ作業の自動化を図ったものであるが、嵌め入れ作業の開始にあたって網押えロープの始端部を網受け溝に圧入する作業については人手によらねばならないため、全自動の網張り装置に適用することができず、このような網押えロープの網受け溝への圧入作業を人手に頼ることなく助動的に行うことができる網戸の網張り装置の開発が、網戸の網張り作業を完全に自動化するうえでの課題となっていた。
【０００５】
【発明の目的】
本発明は、従来の網戸の網張り装置における上記課題に着目してなされたものであって、網押えロープの圧入開始から、圧入後の切断、さらに次のフレームへの圧入準備に至るまで人手を要することなく、自動的かつ連続的に行うことができる網戸の網張り装置を提供することを目的としている。
【０００６】
【課題を解決するための手段】
本発明の請求項１に係わる網戸の網張り装置は、網戸フレームに対して相対移動しながら、連続的に供給される網押えロープを防虫網と共に網戸フレームの網受け溝に圧入する昇降自在な圧入ローラーと、網押えロープの圧入済み部分を切離すカッターと、圧入ローラーの軸に回動自在に支持され、圧入済み部分から切離した網押えロープを挟持して回動し、挟持した網押えロープを圧入ローラーの外周面に沿わせるロープ巻回アームとを備えている構成としたことを特徴としており、このような網戸の網張り装置の構成を前述した従来の課題を解決するための手段としている。
【０００７】
本発明の請求項２に係わる網戸の網張り装置は、網戸フレームに対して相対移動しながら、連続的に供給される網押えロープを防虫網と共に網戸フレームの網受け溝に圧入する昇降自在な圧入ローラーと、圧入ローラーの軸に回動自在に支持され、且つ、網押えロープの圧入済み部分を切離すカッターを有し、圧入済み部分から切離した網押えロープを挟持して回動し、挟持した網押えロープを圧入ローラーの外周面に沿わせるロープ巻回アームとを備えている構成としたことを特徴としており、このような網戸の網張り装置の構成を前述した従来の課題を解決するための手段としている。
【０００９】
【発明の作用】
本発明の請求項１に係わる網戸の網張り装置は、昇降自在な圧入ローラーと、カッターと、ロープ巻回アームとを備えており、圧入ローラーが網戸フレームに対して相対的に移動することによって、網押えロープが連続的に供給されて、網押えロープおよび防虫網の網戸フレームに設けた網受け溝への圧入が進行する。そして最初の網受け溝への網押えロープの圧入が終了した時点で、カッターにより網押えロープの圧入済み部分が切離され、ロープ巻回アームが圧入済み部分から切離された網押えロープの先端部を挟持して、圧入ローラーに対して反対側に回動し、これによって網押えロープが圧入ローラー外周面に沿って巻付けられるようになっている。更に、網押えロープが後続ワ−クである次の網戸フレームの網受け溝に圧入ローラーで圧入されたのち、先端部がロープ巻回アームから解放され、ロープ巻回アームが１８０°回動して元の位置に戻る。したがって、最初の網受け溝への網押えロープの圧入開始から、圧入の終了，さらに次の網戸フレームの網受け溝に対する網押えロープの圧入の準備までの一連の作業が中断なく自動的に行われることになる。
【００１１】
本発明の請求項２に係わる網戸の網張り装置は、圧入ローラーとロープ巻回アームを備えており、ロープ巻回アームが網押えロープの圧入済み部分を切離す機能を備えているので、上記した網張り装置と同様に、網押えロープの圧入開始から、圧入の終了、さらに次の網受け溝に対する網押えロープの圧入の準備までの一連の作業が中断なく自動的に行われると共に、網押えロープを切断するカッターを別途配設する必要がないので、網張り装置の構造がコンパクトなものとなる。
【００１４】
【実施例】
以下、本発明を図面に基づいて具体的に説明する。
【００１５】
図１ないし図７は、本発明に係わる網戸の網張り装置の一実施例を示すものであって、図２はその全体構造を示す平面図である。
【００１６】
図２に示す網戸の網張り装置１は、Ｌ字状をなす装置基台２を備え、この装置基台２には、図中左上方から搬入されたワーク、すなわち網戸フレームＦをその左右竪框Ｆ１，Ｆ２に平行な図中横方向に移送する第１コンベア３ａと、第１コンベア３ａによって所定位置まで移動して来た網戸フレームＦの横框Ｆ３をクランプして同方向にさらに移送する第１ワークキャリヤ３ｂと、ワークキャリヤ３ｂにより所定位置まで移動して来た網戸フレームＦをその上下横框Ｆ３，Ｆ４に平行な図中縦方向に移送する第２コンベア４ａと、第２コンベア４ａによって所定位置まで移動した網戸フレームＦの竪框Ｆ２をクランプして同方向にさらに移送する第２ワークキャリヤ４ｂと、第２ワークキャリヤ４ｂにより所定位置まで移動して来た網戸フレームＦを同方向にさらに移送し、完成した網戸を次工程に払い出す第３コンベア４ｃが配設されている。
【００１７】
コンベア３ａとワークキャリヤ３ｂからなる図中横方向の搬送路の途中には、ロール状に巻き取られたポリ塩化ビニル製の防虫網Ｎを網戸フレームに被せる網供給装置５が配設されると共に、ドラムＤに巻き取られた網押えロープＲを両側に備えた第１の網固定装置６が網供給装置５のワーク移動方向下流側に隣接した状態に設けてある。
【００１８】
そして、第１の網固定装置６の門型フレーム６ａには、網供給装置５の一部を構成し、後述するようにそれぞれ２基のシリンダ２０，２１によって上下および前後に移動して網供給装置５の網繰り出し機構１１から繰り出された防虫網Ｎの先端部を把持する１対のアーム２２からなる網装着機構１２が配設されている。
【００１９】
さらに、第２コンベア４ａと、第２ワークキャリヤ４ｂと、第３コンベア４ｃからなる図中縦方向の搬送路の途中には、第１の網固定装置６と同様の構造を有し、ドラムＤに巻き取られた網押えロープＲを両側に備えた第２の網固定装置７が第２コンベア４ａからの第２ワークキャリヤ４ｂへの受け渡し部分の近傍位置に設けてある。
【００２０】
そして、図中縦方向の搬送路の途中であって第２の網固定装置７の下流側には、後述するようなコーナー押え機構２３とコーナーカッター２４とを摺動自在に支持するスライドベース８ａ，８ａを両側にそれぞれ備えた２基の門型フレーム８，８からなるコーナー処理装置９が配設されている。
【００２１】
図３は、図２に示した網供給装置５および第１の網固定装置６の構造を詳細に示す側面図である。
【００２２】
このうち網供給装置５は、図３に示すように、コンベア３ａを跨いだ状態に配設された門型フレーム５ａに取り付けられ、モータ１１ａと、このモータ１１ａによって回転駆動される供給ローラー１１ｂからなり、モータ１１ａおよび供給ローラー１１ｂの回転によって、ロール状に巻き取られ、支持台１０に回転自在に載置された防虫網Ｎの先端部を繰り出す網繰り出し機構１１と、第１の網固定装置６の門型フレーム６ａに取付けられた縦シリンダ２０と、縦シリンダ２０のシリンダロッド２０ａの先端に取付けられた水平シリンダ２１によって上下および前後に移動し、網繰り出し機構１１から繰り出された防虫網Ｎの先端部を把持して網戸フレームＦに被せる１対のアーム２２からなる網装着機構１２と、門型フレーム５ａに昇降自在に取り付けられ、網戸フレームＦに被せられた防虫網Ｎを所定位置で切断する網カッター１３ａとカッター受け１３ｂからなる網切断機構１３を備えている。
【００２３】
さらに、網供給装置５は、門型フレーム５ａに昇降自在に配設された網押えローラー１４ａと、門型フレーム５ａの下方位置に昇降自在かつ左右方向にスライド可能に取り付けられた調整バー１４ｂを備え、調整バー１４ｂの上下調整によって網戸フレームＦに取り付けられる防虫網Ｎの張力を加減し、網戸フレームＦの変形や防虫網Ｎの弛みを防止するようになっている。
【００２４】
第１の網固定装置６は、前述のように第１コンベア３ａおよび第１ワークキャリヤ３ｂを跨ぐように配設された門型フレーム６ａの両側に網押えロープＲを巻いた回転ドラムＤを備えると共に、門型フレーム６ａの両側に取付けられたシリンダ１５によってそれぞれ昇降するロープガイド１６を左右位置に備え、網戸フレームＦの左右竪框Ｆ１，Ｆ２の網受け溝に同時に網押えロープＲを圧入するようになっている。なお、左右のロープガイド１６は、それぞれ門型フレーム６ａに沿って移動可能に取付けてあり、網戸フレームＦのサイズに対応するようになっている。
【００２５】
ロープガイド１６は、図１（ａ）にも示すように、回転ドラムＤから繰り出された網押えロープＲを巻き付けて、左右竪框Ｆ１，Ｆ２の網受け溝Ｇに圧入する圧入ローラー１７と、この圧入ローラー１７の軸に回動自在に支持されたロープ巻回アーム１８を備えている。また、ロープガイド１６は、圧入ローラー１７のワーク移動方向下流側に、電熱ヒーターによって加熱され、框Ｆ１，Ｆ２の網受け溝に網押えロープＲと共に圧入された防虫網Ｎの余剰端部を網受け溝の外側で竪框Ｆ１，Ｆ２に沿って溶断するヒートカッター１９が配設されている。
【００２６】
ロープ巻回アーム１８は、ロープガイド１６内に収納されたサーボモータによって回転駆動されるプーリー１６ａとベルト１６ｂによって、図１（ａ）中に実線と仮想線で示す位置の間を圧入ローラー１７の軸を中心に３６０°回動するようになっており、図１（ｂ）に示すように、略Ｌ字形をなすアーム本体１８ａと、アーム本体１８ａに形成したコの字溝１８ｄ内をシリンダ１８ｂの作動によって摺動するスライダ１８ｃから構成されている。
【００２７】
アーム本体１８ａは、コの字溝１８ｄに連なるＵ字状のガイド溝（ガイド部）１８ｅを図中縦方向に備え，このガイド溝１８ｅに網押えロープＲを通すことによって網押えロープＲを網戸フレームＦの網受け溝Ｇに導くようになっている。一方、スライダ１８ｃは、ガイド溝１８ｅを横断するカッター刃（カッター）１８ｆを有すると共に、カッター刃１８ｆの上方にカッター刃１８ｆの図中下方部分よりもガイド溝１８ｅの側に突出したクランプ部１８ｇを備えており、シリンダ１８ｂの作動によってガイド溝１８ｅ内に受け入れた網押えロープＲを切断したり、切断した網押えロープＲの端部をガイド溝１８ｅの側壁とクランプ部１８ｇの間に挟持したりすることができる仕組みとなっている。
【００２８】
図４（ａ）ないし（ｄ）は、ロープ巻回アーム１８の作動を順次示す説明図であって、図４（ａ）は網戸フレームＦの網受け溝Ｇへの網押えロープＲの圧入を終えた状態を示す。
【００２９】
すなわち、図４（ａ）に示すように、網戸フレームＦが移動して網受け溝Ｇの終端近傍部に達すると、図４（ｂ）に示すように、シリンダ１８ｂの引込み作動に基づくスライダ１８ｃの摺動によって、網押えロープＲがカッター刃１８ｆによって切断され、切離された一方の端部である網押えロープＲの圧入済み部分の終端部が網受け溝Ｇ上に落下すると共に、圧入済み部分から切離された網押えロープＲの他方の端部がロープ巻回アーム１８のガイド溝１８ｅ内においてスライダ１８ｃのクランプ部１８ｇとの間に挟持される。このとき、必要に応じて、クランプ部１８ｇの網押えロープＲとの当接面に、ばねやゴム，発泡樹脂材などからなる弾性体を取付けることも望ましく、これによって網押えロープＲの寸法変動に対する許容範囲を広くすることができる。
【００３０】
次に、ロープガイド１６が上昇し、後続ワークが移送されて来るまでの間に、ベルト１６ｂを介して伝えられるサーボモータの回転によってロープ巻回アーム１８が網押えロープＲの先端部を挟持した状態で反時計回り方向に１８０°回動し、これによって図４（ｃ）に示すように網押えロープＲが圧入ローラー１７の外周面に沿うように、３分の１周程度巻き付けられる。
【００３１】
そして、後続ワークである網戸フレームＦが移動して所定位置に到達すると、圧入ローラー１７がシリンダ１５の押出作動に基づいてロープガイド１６と共に下降することにより、図（ｄ）に示すように、防虫網Ｎの上から網押えロープＲが網受溝Ｇに圧入される。網押えロープＲが網受け溝Ｇに圧入されたのち、シリンダ１８ｂの押出し作動によって、網押えロープＲの先端部がロープ巻回アーム１８から解放される。
【００３２】
シリンダ１８ｂの押出し作動によって網押えロープＲのクランプを解除したロープ巻回アーム１８は、ベルト１６ｂによって反時計回り方向に１８０°回動して、図４（ａ）に示した位置に戻り、ガイド溝１８ｅ内に網押えロープＲを受け入れる。そしてワーク、すなわち網戸フレームＦが図中の右方向に移動することによって、網押えロープＲの圧入が進行する。
【００３３】
なお、網押えロープＲの終端部および始端部は、図４（ｂ）に示したように、この時点では網受け溝Ｇ内に完全には挿入されていないが、網押えロープＲの終端部および始端部の圧入は、後述するようにコーナー処理装置９のコーナー押え機構２３によって行われる。
【００３４】
図５（ａ）は、圧入ローラー１７による網押えロープＲの網受け溝Ｇへの圧入の進行状況を示す図であって、防虫網Ｎの余剰端部は、圧入ローラー１７のワーク移動方向下流側に配設されたヒートカッター１９によって、図５（ｂ）にも示すように、網受け溝Ｇへの嵌合が終了した部分から熱溶断されて除去される。なお、図５（ａ）は、網戸フレームＦの相対向する框材の一方のみを示すものであって、他方の框材についても網押えロープＲの圧入が同時に行われていることは言うまでもない。
【００３５】
また、ヒートカッター１９は、図示しない電熱ヒーターによって、防虫網Ｎの素材であるポリ塩化ビニル樹脂の融点より僅かに高い約２１０℃に加熱されており、防虫網Ｎに接触することにより接触部分を軟化溶融させて溶断するものである。
【００３６】
図２に示した第２の網固定装置７は、第１の網固置６と同様の構造のものであって、図１に示したような圧入ローラー１７およびロープ巻回アーム１８を備えたロープガイド１６をその両側に備えると共に、同様のヒートカッターを備え、網戸フレームＦの横框Ｆ３，Ｆ４の網受け溝に網押えロープＲと共に圧入された防虫網Ｎの余剰端部を網受け溝の外側で横框Ｆ３、Ｆ４に沿って熱溶断するようになっている。
【００３７】
また、図２に示したコーナー処理装置９は、図６に示すような門型フレーム８が背中合わせに配設されたものであって、各門型フレーム８の両端部には、シリンダ２３ａとこのシリンダ２３ａによって昇降するコーナー押え治具２３ｂを備えたコーナー押え機構２３と、シリンダ２４ａによって昇降するコーナーカッター２４とを摺動自在に保持するスライドベース８ａを備えている。
【００３８】
コーナー押え機構２３のコーナー押え治具２３ｂは、網戸フレームＦのコーナー部の形状に一致する断面Ｌ字状のものであって、シリンダ２３ａの押出し作動によって、第１および第２の網固定装置６および７の圧入ローラー１７によっては挿入することができなかった網押えロープＲの終端部および始端部を網受け溝Ｇに圧入する機能を備えている。
【００３９】
一方、コーナーカッター２４は、ヒートカッター１９と同様に、図示しない電熱ヒーターによって約２１０℃に加熱されており、図７に示すように、シリンダ２４ｃおよび２４ｄによって上下および前後動するヒートカッター２４ｅと、網戸フレームＦに張られた防虫網Ｎをヒートカッター２４ｅの熱から保護する断熱材２４ｆからなり、図７（ｂ）ないし（ｄ）に示すように、シリンダ２４ｃおよび２４ｄの押出し作動によって、第１および第２の網固定装置６および７に備えたヒートカッターによる防虫網Ｎのコーナー部切り残し部分を溶断する機能を有している。
【００４０】
以下に、このような構造を備えた網戸の網張り装置１の動作について、簡単に説明する。
【００４１】
まず、ワークである網戸フレームＦが、図２に示した装置基台２の左上方から搬入されると、第１コンベア３ａによって図中右方向に移送され、この間に、図示しないガイド機構によって網戸フレームＦの竪框Ｆ１，Ｆ２の向きが進行方向に一致するよう矯正されながら、所定の位置に導かれる。
【００４２】
そして、網戸フレームＦが所定の位置に到達した時点で、網戸フレームＦの横框Ｆ３が第１ワークキャリヤ３ｂのクランパ３ｃによってクランプされると共に、網供給装置５の網繰り出し機構１１によって送り出された防虫網Ｎの先端部が、網装着機構１２のアーム２２によって把持され、シリンダ２０および２１の作動によって網戸フレームＦの上に重ねられる。
【００４３】
次に、第１の網固定装置６のロープガイド１６と共に、図４（ｃ）に示したように網押えロープＲを巻き付けた状態の圧入ローラー１７が下降して、図４（ｄ）に示したように網押えロープＲが防虫網Ｎと共に竪框Ｆ１，Ｆ２の網受け溝Ｇ内に圧入される。このとき、防虫網Ｎと網戸フレームＦの間に調整バー１４ｂが介在することによって、防虫網Ｎに適度なたわみが与えられるようになっており、防虫網Ｎの端部が網押えロープＲと共に框材の網受け溝Ｇに引き込まれる長さ寸法にこのたわみがバランスして網戸フレームＦが変形しないようになっている。
【００４４】
そして、防虫網Ｎの先端部が網戸フレームＦに固定されると、網装着機構１２のアーム２２がシリンダ２０の引込み作動によって上昇する。
【００４５】
また、ロープ巻回アーム１８のシリンダ１８ｂの押出し作動によって網押えロープＲの始端部がロープ巻回アーム１８から解放されたのち、ロープガイド１６のサーボモータの回転によってロープ巻回アーム１８が図中反時計回り方向に回動して、図４（ａ）に示す位置に移動し、ガイド溝１８ｅに網押えロープＲが受け入れられる。
【００４６】
次いで、第１ワークキャリヤ３ｂの作動によって網戸フレームＦが防虫網Ｎと共に移動し、これに伴って、図５に示したように網押えロープＲの圧入およびヒートカッター１９による防虫網Ｎの余剰部分の除去が進行する。網戸フレームＦが移動して、フレームＦのサイズに見合った長さの防虫網Ｎが繰り出されると、網切断機構１３が作動して防虫網Ｎが切断される。
【００４７】
網戸フレームＦの移動によって、竪框Ｆ１，Ｆ２の端部が圧入ローラー１７に到達すると、図４（ｂ）に示したようにロープ巻回アーム１８のシリンダ１８ｂの作動によって網押えロープＲの圧入済み部分が切離されたのち、第１の網固定装置６のロープガイド１６が上昇すると共に、図４（ｃ）に示したようなロープ巻回アーム１８の回動によって網押えロープＲが圧入ローラー１７に巻付けられ、後続ワークの搬入に備える。
【００４８】
第１の網固定装置６のロープガイド１６が上昇すると、第１ワークキャリヤ３ｂのクランパ３ｃによる横框Ｆ３のクランプが解除され、竪框Ｆ１，Ｆ２の網受け溝Ｇへの防虫網Ｎと網押えロープＲの圧入を終えた網戸フレームＦは、第２コンベア４ａによって横框Ｆ３，Ｆ４に平行な方向に移送される。
【００４９】
そして、網戸フレームＦが所定位置に到達すると、網戸フレームＦの竪框Ｆ２が第２ワークキャリヤ４ｂのクランパ４ｄによってクランプされ，上記した竪框Ｆ１，Ｆ２への網押えロープＲの圧入と全く同じ要領により、第２の網固定装置７によって横框Ｆ３，Ｆ４の網受け溝Ｇへの網押えロープＲの圧入が開始され、図５と同様に、網押えロープＲの圧入およびヒートカッターによる防虫網Ｎの溶断が進行し、防虫網Ｎの余剰部分が除去される。
【００５０】
横框Ｆ３，Ｆ４の網受け溝Ｇへの網押えロープＲの圧入が終了すると、第２の網固定装置７のロープガイド１６が同様に上昇し、網戸フレームＦはコーナー処理装置９の門型フレーム８，８に到達する。
【００５１】
そして、コーナー処理装置９のコーナー押え機構２３のシリンダ２３ａの作動によってコーナー押え治具２３ｂが押し下げられ、網受け溝Ｇから浮き上がっている網押えロープＲの始端部および終端部が防虫網Ｎと共にそれぞれ網受け溝Ｇに圧入される。次いで、スライドベース８ａの移動によってコーナー処理装置９のコーナーカッター２４を網戸フレームＦのコーナー内側に位置させ、図７（ｂ）ないし（ｄ）に示したように、シリンダ２４ｃおよび２４ｄの押出し作動によって、ヒートカッター２４ｅを降下させたのち、防虫網Ｎのコーナー部に向けて押し出し、第１および第２の網固定装置６および７に備えたヒートカッターによる防虫網Ｎのコーナー部切り残し部分が溶断される。
【００５２】
以上によって完成された網戸は、第３コンベア４ｃによって装置の搬出側に移送され、次工程、例えば検査工程に搬送されると共に、新たに搬入されたワークに対して、同様の手順による網張りが連続的に繰り返される。
【００５３】
なお、上記した実施例においては、網戸フレームＦを移動させるようにした装置の例を示したが、本発明に係わる網戸の網張り装置においては、網戸フレームＦを装置基台上に固定し、圧入ローラー１７やロープ巻回アーム１８，ヒートカッター１９を備えたロープガイド１６の側を網戸フレームＦの框材に沿って移動させるようにすることもできる。
【００５４】
また、カッター刃１８ｆをスライダ１８ｃに設けることによって網押えロープＲを切断するカッターをロープ巻回アーム１８に配設した例を示したが、網押えロープ用カッターについては、ロープ巻回アーム１８とは別に、例えばロープガイド１６や装置基台２上に配設しても差し支えない。
【００５５】
【発明の効果】
以上説明したように、本発明の請求項１に係わる網戸の網張り装置は、上記した構成、すなわち圧入ローラーとカッターとロープ巻回アームを備えたものであるから、網戸フレームの網受け溝への網押えロープの圧入開始から、圧入が終了して、網押えロープが切断され、さらに圧入済み部分から切離された網押えロープの圧入ローラーへの巻付け、すなわち次の網押えロープ圧入の準備に至る一連の作業をすべて人手をかけることなく連続的に行うことができ、網戸フレームへの防虫網の取付け作業の省力化を可能にすると共に、網張り装置の完全自動化にも対応することができるという極めて優れた効果をもたらすものである。
【００５６】
また、本発明の請求項２に係わる網戸の網張り装置は、圧入ローラーとロープ巻回アームを備えたものであって、ロープ巻回アームが網押えロープの切断機能を備えているので、請求項１に係わる網張り装置と同様の効果が得られると共に、網押えロープを切断するためのカッターを別途配設する必要がないので、装置全体をよりコンパクトなものとすることができるという極めて優れた効果をもたらすものである。
【図面の簡単な説明】
【図１】（ａ）本発明の一実施例に係わる網戸の網張り装置における圧入ローラーおよびロープ巻回アームの構造を示す斜視図である。
（ｂ）図１に示したロープ巻回アームの構造を示す分解斜視図である。
【図２】本発明の位置実施例に係わる網戸の網張り装置の全体構造を示す平面図である。
【図３】図２に示した網張り装置における網供給装置および第１の網固定装置の配置を詳細に示す側面図である。
【図４】（ａ）ないし（ｄ）は、図１に示した圧入ローラーおよびロープ巻回アームの作動を順次説明する作動図である。
【図５】（ａ）図１に示した圧入ローラーによる網押えロープの圧入状況およびヒートカッターによる防虫網の余剰部分の除去状況を示す斜視図である。
（ｂ）ヒートカッターによる防虫網の余剰部分の除去状況を示す断面図である。
【図６】図２に示した網張り装置におけるコーナー処理装置の構造を詳細に示す斜視図である。
【図７】（ａ）図６に示したコーナー処理装置のコーナーカッターの構造を示す平面図である。
（ｂ）図７（ａ）に示したコーナーカッターの待機状態を示す説明図である。
（ｃ）図７（ｂ）に示したコーナーカッターのヒートカッターが下降して框コーナー部における防虫網の溶断に備えた状態を示す説明図である。
（ｄ）図７（ｃ）に示したヒートカッターが前進して防虫網が框コーナー部において溶断された状態を示す説明図である。
【符号の説明】
１７ 圧入ローラー
１８ ロープ巻回アーム
１８ａ  アーム本体
１８ｃ  スライダ
１８ｅ  ガイド溝（ガイド部）
１８ｆ  カッター刃（カッター）
１８ｇ  クランプ部
Ｆ  網戸フレーム
Ｇ  網受け溝
Ｎ  防虫網
Ｒ  網押えロープ
【図１】
0003552444.tif 000002
【図２】
0003552444.tif 000003
【図３】
0003552444.tif 000004
【図４】
0003552444.tif 000005
【図５】
0003552444.tif 000006
【図６】
0003552444.tif 000007
【図７】
0003552444.tif 000008